(57)【要約】【課題】連写撮影された画像の再生時において、特徴ある撮影シーンの検索時間を短縮し、所望の撮影シーンを効率よく再生する。【解決手段】撮影された画像データを記憶する記憶部２１と、連続して撮影された２枚の画像データ（直前画像データ，現画像データ）を比較して差分を検出する画像比較部１９と、画像比較部１９により検出された差分が所定の閾値を超える場合に、時間的に後ろ側の画像データを特定できるように現画像データにフラグを付ける画像処理部１７と、記憶部２１に記憶されている各画像データを表示して再生する表示部９と、表示部９においてフラグにより特定された画像データを優先的に表示させる再生部２３とを備えるカメラ１を提供する。【選択図】図４
2009081650.tif 000002
【特許請求の範囲】
【請求項１】
撮影された画像を記憶する記憶部と、
連続して撮影された２枚の画像を比較して差分を検出する画像比較部と、
該画像比較部により検出された差分が所定の閾値を超える場合に、時間的に後ろ側の画像を特定できるように画像にフラグを付ける画像処理部と、
前記記憶部に記憶されている各画像を表示して再生する表示部と、
該表示部において前記フラグにより特定された画像を優先的に表示させる制御部と
を備えるカメラ。
【請求項２】
前記制御部は、前記表示部によるフラグにより特定された画像の表示時間をフラグにより特定されない画像の表示時間よりも長くする請求項１に記載のカメラ。
【請求項３】
前記制御部は、フラグにより特定される画像のみを前記表示部により表示させる請求項１に記載のカメラ。
【発明の詳細な説明】
【技術分野】
【０００１】
本発明は、カメラに関するものである。
【背景技術】
【０００２】
従来、記録媒体に記録された画像を順次液晶パネルに表示させるカメラが知られている（特許文献１参照）。
特許文献１に記載のカメラによれば、静止画像を、連写された時の連写速度を基準として任意に設定された画像再生時間と倍率にて表示手段に表示させることにより、連写速度が速い画像をゆっくりと確認することができるようになっている。
【特許文献１】特開２００５−１７６２４６号公報
【発明の開示】
【発明が解決しようとする課題】
【０００３】
しかしながら、高速撮影可能なイメージセンサにより数十枚／秒で連写撮影された画像の中には、同じ状態が写っている画像が大量に含まれる可能性がある。そして、例え１秒間連写撮影を行っただけでも数十枚の画像が記憶されるため、特許文献１の撮影したすべての画像を１枚ずつゆっくり表示させるような手法では、同じ撮影シーンが大量に写っている連写画像の内から所望の撮影シーンの画像を選択するのに時間がかかり困難であるという問題があった。
【０００４】
本発明は、このような事情に鑑みてなされたものであって、連写撮影された画像の再生時において、特徴ある撮影シーンの検索時間を短縮し、所望の撮影シーンを効率よく再生することができるカメラを提供することを目的とする。
【課題を解決するための手段】
【０００５】
上記課題を解決するために、本発明は以下の手段を採用する。
本発明は、撮影された画像を記憶する記憶部と、連続して撮影された２枚の画像を比較して差分を検出する画像比較部と、該画像比較部により検出された差分が所定の閾値を超える場合に、時間的に後ろ側の画像を特定できるように画像にフラグを付ける画像処理部と、前記記憶部に記憶されている各画像を表示して再生する表示部と、該表示部において前記フラグにより特定された画像を優先的に表示させる制御部とを備えるカメラを提供する。
【０００６】
本発明によれば、撮影された画像が記憶部によって記憶され、記憶部に記憶されている各画像が表示部によって表示される。
この場合に、画像比較部により検出された連続する２枚の画像の差分が所定の閾値を超えていると、画像処理部により、時間的に後ろ側の画像を特定できるように画像にフラグが付される。また、制御部が、フラグにより特定された画像を表示部において優先的に表示させるので、特定されない画像、すなわち、直前の画像に対して変化のない撮影シーンの画像より先に、フラグにより特定された特徴ある撮影シーンの画像を確認することができる。したがって、高速連写のように大量に画像が撮影された場合であっても、再生時において特徴ある撮影シーンの検索時間を短縮することができ、所望の撮影シーンを効率よく再生することができる。
【０００７】
上記発明においては、前記制御部は、前記表示部によるフラグにより特定された画像の表示時間をフラグにより特定されない画像の表示時間よりも長くすることとしてもよい。
このように構成することで、画像の再生時において、変化のない撮影シーンの画像に比べて、特徴ある撮影シーンの画像を入念に確認させることができる。
【０００８】
また、上記発明においては、前記制御部は、フラグにより特定される画像のみを前記表示部により表示させることとしてもよい。
このように構成することで、特徴のない画像を表示する無駄な時間を省略して、画像の再生時間の短縮を図ることができる。
【発明の効果】
【０００９】
本発明によれば、連写撮影された画像の再生時において、特徴ある撮影シーンの検索時間を短縮し、所望の撮影シーンを効率よく再生することができるという効果を奏する。
【発明を実施するための最良の形態】
【００１０】
以下、本発明の一実施形態に係るカメラについて、図面を参照して説明する。
本実施形態に係るカメラ１は、図１〜図３に示すように、ユーザにより撮影と画像の再生／選択の切換えや撮影条件の設定等が行われる操作部３と、略直方体形状に形成されたカメラ本体５と、該カメラ本体５の前面に設けられ、外部からの光を集めて被写体の像を結像させる撮像光学系７と、前記カメラ本体５の背面に設けられ、前記撮像光学系７により結像された被写体の像の画像や連写枚数などを表示するＬＣＤ等の表示部９と、カメラ本体５の上端面に設けられた電源ボタン１１およびシャッタボタン１３とを備えている。
【００１１】
操作部３は、ユーザに操作されることより、被写体の像の撮影を行う撮影モードと、撮影した画像を再生してユーザが所望の画像を選択する再生／選択モードとを切替えるようになっている。また、操作部３は、撮影モードにおいては、シャッタボタン１３が押し込まれるごとに撮影が行われて画像データが取得される単写撮影モードと、１度シャッタボタン１３が押し込まれることにより複数回の撮影が行われて複数の画像データが取得される連写撮影モードとを切替えるようになっている。
【００１２】
また、操作部３は、連写撮影モードにおいては、連写スピードや連写撮影枚数等の設定を行うために操作される他、２枚の画像データが一致するか不一致であるか、すなわち、撮影シーンがほぼ同じ状態か否かを決めるための基準となる閾値の設定を行うために操作されるようになっている。ここで、閾値は、自動的に設定されたり、ユーザが設定したりすることができ、ユーザが設定する場合には、一律に設定したり連写撮影の組ごとに設定したりすることができるようになっている。
【００１３】
また、操作部３は、再生／選択モードにおいては、再生開始または再生終了の入力、表示部９において画像データを表示させる再生時間の設定、表示された画像データの選択および再生開始または再生終了の入力等を行うために操作されるようになっている。
【００１４】
カメラ本体５には、図４に示すように、前記撮像光学系７により結像された被写体の像を撮影して画像データを取得するＣＣＤ等の撮像素子１５と、該撮像素子１５により取得された画像データが入力されて画像処理を行う画像処理部１７と、連続して撮影された２枚の画像データを比較して差分が所定の閾値を超える場合に時間的に後ろ側の画像データをフラグにより特定させる画像比較部１９と、該画像比較部１９において比較された画像データが前記画像処理部１７を介して入力されて記憶する記憶部２１と、該記憶部２１に記憶されている画像データを前記表示部９に表示させる再生部（制御部）２３と、撮像光学系７、撮像素子１５、画像処理部１７、画像比較部１９および再生部２３を制御する全体制御部２５とが備えられている。
【００１５】
画像処理部１７は、撮像素子１５から入力された画像データに対して、γ補正、色分離および色マトリクス等の高画質化の画像処理を行い、画像処理後の画像データ（以下、「現画像データ」という。）を一旦画像比較部１９に出力するようになっている。また、画像処理部１７は、画像比較部１９から返却された比較後の現画像データを記憶部２１に出力するようになっている。
【００１６】
この場合に、画像処理部１７は、現画像データの返却とともに、画像比較部１９から後述するフラグ添付指示および不一致率が通知されると、現画像データにフラグを付して不一致率とともに記憶部２１に出力し、一方、画像比較部１９からフラグ添付指示を通知されることなく現画像データが返却されると、現画像データのみを記憶部２１に出力するようになっている。
【００１７】
画像比較部１９は、画像処理部１７から現画像データが入力されると、その現画像データの直前に撮影されて記憶部２１に記憶されている画像データ（以下「直前画像データ」とする。）を読み出し、現画像データと直前画像データとを比較して差分を検出するようになっている。また、画像比較部１９は、差分を検出する際に両画像データの不一致率を算出するようになっている。
【００１８】
そして、画像比較部１９は、検出した差分が操作部３において設定された閾値を超える場合には、現画像データを画像処理部１７に返却するとともに、現画像データと直前画像データとが不一致であることを示すフラグを現画像データに付することを指示するフラグ添付指示と、算出された両画像データの不一致率とを画像処理部１７に通知するようになっている。一方、画像比較部１９は、検出した差分が閾値を超えない場合には、画像処理部１７にフラグ添付指示や不一致率を通知することなく現画像データを返却するようになっている。
【００１９】
記憶部２１は、画像処理部１７からフラグを付された画像データが入力されると、画像データをフラグおよび不一致率とを関連付けて記憶し、一方、画像処理部１７から画像データのみが入力されると、画像データのみを記憶するようになっている。これにより、記憶部２１では、各画像データに付されたフラグの有無により、連続して撮影された２枚の画像データ間において時間的に前側の画像データに対して差分が閾値を超える時間的に後ろ側の画像データをフラグにより特定することができるようになっている。
【００２０】
再生部２３は、操作部３において設定された再生時間、連写スピード、連写撮影枚数等に基づいて、表示部９において表示させる画像データを割り当てる表示フレームを選択するようになっている。また、再生部２３は、記憶部２１から画像データを読み出してフォーマット変換を行った後、選択した表示フレームに各画像データを割り当てて表示部９に出力するようになっている。この場合に、再生部２３は、表示部９において、フラグが付されている画像データをフラグが付されていない画像データよりも優先的に表示させるようになっている。
【００２１】
具体的には、まず操作部３において画像／選択モードが開始されると、再生部２３は、操作部３において設定された再生時間と、記憶部２１に記憶されている画像データのフラグの有無および不一致率とから、表示部９に表示する画像データを再生順に並べる再生順番テーブルを作成するようになっている。
【００２２】
例えば、再生順番テーブルは、フラグにより特定された画像データの表示時間がフラグにより特定されない画像データの表示時間よりも長く設定されて、各画像データが撮影順に表示される再生順番テーブルＡと、フラグにより特定された画像データのみが選択されて撮影順に表示される再生順番テーブルＢとがあり、操作部３においてユーザにより選択されるようになっている。
【００２３】
なお、再生順番テーブルの作成において、再生時間と表示させる画像データ数との関係で端数となる表示フレームが存在する場合には、再生部２３により各画像データの不一致率が参照されて、フラグにより特定された画像データのうち不一致率の高いものから端数の表示フレームに割り当てられるようになっている。一方、表示フレーム数が足りず端数となる画像データが存在する場合には、再生部２３により、フラグにより特定された画像データのうち不一致率の低いものが表示フレームの割り当てから外されるようになっている。
【００２４】
このように構成された本実施形態に係るカメラ１の作用について説明する。
電源ボタン１１をＯＮにしてカメラ１を起動させると、撮像光学系７により撮像素子１５の撮像面に結像される被写体の像が撮像素子１５によって撮影され、その画像データが撮像素子１５から画像処理部１７へ出力される。
【００２５】
画像処理部１７に入力された画像データは、γ補正、色分離および色マトリクス等の画像処理により高画質化された後、記憶部２１を介して再生部２３によりフォーマット変換されて表示部９に送られる。表示部９においては、例えば、１秒間に３０枚の画像データが連続表示されることにより動きのある画像として表示される。これにより、ユーザは被写体を撮像素子１５を介して表示部９に表示される画像によって見ることができる。
【００２６】
単写撮影モードにおいては、この状況でシャッタボタン１３が押されると、操作部３から全体制御部２５にシャッタ信号が出力され、全体制御部２５により適正露光になるように撮像光学系７および撮像素子１５等が制御されて、撮像素子１５により被写体の画像データが取得される。撮像素子１５により取得された画像データは、画像処理部１７により画像処理されて高画質化された後、記憶部２１に送られて記憶されるとともに再生部２３を介して表示部９に送られて一時的に表示される。
【００２７】
次に、本実施形態に係るカメラ１の連写撮影時の動作を、図５に示すフローチャート図を用いて詳細に説明する。
操作部３において、連写撮影モードに切り替えられてフレームレートや連写撮影枚数等の連写撮影条件が入力されたり、２枚の画像データが一致するか不一致であるかの基準となる閾値が設定されたりすると、入力された連写撮影条件が操作部３から全体制御部２５に送られる。
【００２８】
全体制御部２５においては、入力された連写撮影条件に基づいて撮像光学系７や撮像素子１５等が制御され、撮像素子１５によりフレームレートに基づいて画像データが順次取得されて、連写撮影モードの撮影が開始される（ステップＳＡ１）
【００２９】
この状況でシャッタボタン１３が押されると、操作部３から全体制御部２５にシャッタ信号が出力されて撮像光学系７および撮像素子１５等が制御され、撮像素子１５により連写撮影枚数に応じた枚数の被写体の画像データが取得される。撮像素子１５により取得された各画像データは、画像処理部１７に送られて画像処理が行われる（ステップＳＡ２）
【００３０】
画像処理部１７において画像処理が完了された画像データは画像比較部１９に出力される。この場合に、各連写撮影の組において１枚目に取得された画像データは、画像比較部１９において比較対象が存在しないので比較の処理が行われることなく画像処理部１７に返却され、画像処理部１７から記憶部２１に送られて記憶される。
【００３１】
続いて、撮像素子１５により２枚目に取得された画像データが画像比較部１９に入力されると、画像比較部１９は、入力された画像データすなわち現画像データに対して、直前に取得された画像データすなわち１枚目に取得された直前画像データを記憶部２１から読み出して、現画像データと直前画像データとの比較を行う（ステップＳＡ３）。
【００３２】
画像比較部１９においては、現画像データと直前画像データとが比較されて差分が検出され、その差分が操作部３において設定された閾値を超えるか否か、すなわち、現画像データと直前画像データとが不一致か否かが判断される（ステップＳＡ４）。このとき、画像比較部１９において、両画像データの不一致率が算出される。
【００３３】
ステップＳＡ４において、現画像データと直前画像データとの差分が閾値を越えており、画像比較部１９により両画像データが不一致と判断されると（ステップＳＡ４「ＹＥＳ」）、画像比較部１９から画像処理部１７に現画像データが返却されるとともに、画像比較部１９からフラグ添付指示および算出された不一致率が画像処理部１７に通知される（ステップＳＡ５）。
【００３４】
一方、ステップＳＡ４において、現画像データと直前画像データとの差分が閾値を越えず、画像比較部１９により両画像データがほぼ一致すると判断されると（ステップＳＡ４「ＮＯ」）、画像比較部１９からフラグ添付指示や不一致率が通知されることなく現画像データが画像処理部１７に返却される（ステップＳＡ６）。
【００３５】
画像処理部１７においては、画像比較部１９から画像データが返却されると、フラグ添付指示および不一致率が通知された画像データは、フラグが付されて不一致率とともに記憶部２１に出力される。そして、記憶部２１において、入力された画像データがフラグおよび不一致率と関連付けられて記憶される（フラグ＝ｏｎ、ステップＳＡ７）。一方、フラグ添付指示および不一致率が通知されずに返却された画像データは、画像処理部１７から画像データのみが記憶部２１に出力されてそのまま記憶される（フラグ＝Ｏｆｆ）。
【００３６】
ここで、連続して撮影された直前画像データと現画像データとの差分が所定の閾値を超える場合とは、直前画像データの撮影シーンに対して現画像データの撮影シーンに特徴があるような場合といえる。一方、連続して撮影された直前画像データと現画像データとの差分が所定の閾値を超えない場合とは、直前画像データの撮影シーンに対して現画像データの撮影シーンに変化が少ない場合といえる。したがって、記憶部２１において特徴ある撮影シーンの画像データをフラグの有無により特定することができる。
【００３７】
このように、２枚目以降の現画像データは、それぞれの直前画像データと比較されて、フラグと関連付けられてあるいはフラグが付されることなく記憶部２１に記憶される。そして、設定された連写撮影枚数のすべての撮影が終了するまで（ステップＳＡ８「ＮＯ」）、ステップＳＡ２〜ステップＳＡ７の動作が繰り返され、すべての撮影が終了すると（ステップＳＡ８「ＹＥＳ」）、連写撮影モードが終了する（ステップＳＡ９）。
【００３８】
次に、本実施形態に係るカメラ１の画像データの再生および選択時の動作を、図６のフローチャート図を用いて詳細に説明する。
操作部３において、画像データの再生および選択を行う再生／選択モードが入力されると、再生／選択モードが開始されて（ステップＳＢ１）、操作部３においてユーザにより再生時間の設定が行われる（ステップＳＢ２）。
【００３９】
操作部３において再生時間が設定されると、全体制御部２５を介して再生部２３に再生時間が入力されるとともに、再生部２３により記憶部２１に記憶されている各画像データのフラグの有無と不一致率が取得される（ステップＳＢ３）。再生部２３においては、取得された画像データの再生時間、画像データのフラグの有無および不一致率から再生順番テーブルが作成される（ステップＳＢ４）。
【００４０】
ここで、再生順番テーブルについて、図７（ａ）および図７（ｂ）を参照して、撮影枚数が６枚の連写撮影の組に対して表示フレーム１０枚分の再生時間で再生する再生順番テーブルＡが設定された場合を例示して説明する。
例えば、記憶部２１において、１組の連写撮影として画像データｎ，ｎ＋１，ｎ＋２，ｎ＋３，ｎ＋４，ｎ＋５が記憶されており、画像データｎ＋１，ｎ＋２，ｎ＋３，ｎ＋４にフラグが付されているとする。
【００４１】
まず、再生部２３により、１０枚分の表示フレームが選択される。
次に、再生順番テーブルＡにおいてはフラグによって特定された画像データの表示時間がフラグにより特定されない画像データよりも長く設定されるので、再生部２３により、フラグが付されている画像データｎ＋１，ｎ＋２，ｎ＋３，ｎ＋４に対してそれぞれ表示フレーム２枚分が割り当てられ、フラグが付されていない画像データｎ，ｎ＋５に対して表示フレーム１枚分が割り当てられる。
すなわち、画像データｎに表示フレームｐ、画像データｎ＋１に表示フレームｐ＋１，ｐ＋２、画像データｎ＋２に表示フレームｐ＋３，ｐ＋４、画像データｎ＋３に表示フレームｐ＋５，ｐ＋６、画像データｎ＋４に表示フレームｐ＋７，ｐ＋８、画像データｎ＋５に表示フレームｐ＋９が割り当てられる。
【００４２】
これにより、フラグにより特定される画像データｎ＋１（表示フレームｐ＋１，ｐ＋２）、画像データｎ＋２（表示フレームｐ＋３，ｐ＋４）、画像データｎ＋３（表示フレームｐ＋５，ｐ＋６）、画像データｎ＋４（表示フレームｐ＋７，ｐ＋８）がフラグにより特定されない画像データｎ（表示フレームｐ）、画像データｎ＋５（表示フレームｐ＋９）よりも長い時間表示されることになるので、特徴ある撮影シーンの画像データｎ＋１，ｎ＋２，ｎ＋３，ｎ＋４を表示時間的に強調することができる。
【００４３】
ステップＳＢ４において再生順番テーブルＡが作成されると、再生部２３において再生回数の再生カウンタ値１がカウントされる。そして、操作部３においてユーザにより再生開始が入力されると、再生部２３により再生順番テーブルＡに基づいて記憶部２１に記憶されている画像データが読み出され、選択した１０枚の表示フレームに各画像データが割り当てられる。再生部２３において各表示フレームに割り当てられた画像データは表示部９に送られて、各画像データが撮影順に表示される（ステップＳＢ５）。
【００４４】
表示部９において画像データが表示されて再生が行われると、全体制御部２５により、表示されている画像データがユーザに選択されたか否かが判断される（ステップＳＢ６）。ステップＳＢ６において、表示部９に表示されている画像データが選択されると（ステップＳＢ６「ＹＥＳ」）、全体制御部２５において、選択された画像データの表示フレーム番号が記録される。
【００４５】
続いて、再生部２３において再生カウンタ値２がカウントされた後（ステップＳＢ７）、画像データの再生が引き続き行われるか終了されるかが判断される（ステップＳＢ８）。操作部３においてユーザにより再生開始が再び入力されると（ステップＳＢ８「ＮＯ」）、ステップＳＢ５に戻り、ステップＳＢ５〜ステップＳＢ８の動作が繰り返される。
【００４６】
一方、操作部３においてユーザにより再生終了が入力されると（ステップＳＢ８「ＹＥＳ」）、全体制御部２５により、選択された表示フレーム番号の画像データが図示しない外部記録媒体に書き込まれて保存される（ステップＳＢ９）。全体制御部２５により、選択されたすべての画像データが外部記録媒体に書き込まれると（ステップＳＢ１０）、記憶部２１に記憶されている選択されなかった画像データが削除され（ステップＳＢ１１）、再生／選択モードが終了する（ステップＳＢ１２）。
【００４７】
以上説明してきたように、本実施形態に係るカメラ１によれば、連続して撮影された２枚の画像データが比較されて差分が大きい場合に、時間的に後ろ側の画像データを特定できるようにフラグが付されて記憶され、フラグによって特定される画像データの表示時間が長くなるように再生されるので、フラグにより特定される画像データすなわち特徴ある撮影シーンの画像データを、フラグが付されない画像データすなわち変化の少ない画像データに比べて入念に確認することができる。これにより、再生時において特徴ある撮影シーンの検索時間を短縮することができ、所望の撮影シーンを効率よく再生することができる。
【００４８】
なお、本実施形態においては、再生／選択モードにおいて再生順番テーブルＡによる画像データの再生を例示して説明したが、これに代えて、撮影枚数が１０枚の連写撮影の組に対して表示フレーム４枚分の再生時間で再生する再生順番テーブルＢによる画像データの再生を、図８（ａ）および図８（ｂ）を参照して以下に説明する。
【００４９】
例えば、記憶部２１において、画像データｎ，ｎ＋１，ｎ＋２，ｎ＋３，ｎ＋４，ｎ＋５，ｎ＋６，ｎ＋７，ｎ＋８，ｎ＋９が記憶されており、画像データｎ＋３，ｎ＋４，ｎ＋５，ｎ＋６にフラグが付されているとする。
【００５０】
まず、再生部２３により、４枚分の表示フレームが選択される。
次に、再生順番テーブルＢにおいてはフラグにより特定された画像データのみが選択されるので、再生部２３により、４枚の表示フレームに対して、画像データｎ＋４，ｎ＋５，ｎ＋６が割り当てられる。続いて、端数となる表示フレームが１枚存在するので、不一致率が大きい画像データ、この場合画像データｎ＋４の１つ前の画像データｎ＋３が選択されて、画像データｎ＋３が端数となる表示フレーム割り当てられる。その結果、表示部９においては、表示フレームｐ（画像データｎ＋３），表示フレームｐ＋１（画像データｎ＋４），表示フレームｐ＋２（画像データｎ＋５），表示フレームｐ＋３（画像データｎ＋６）のみが表示される。
【００５１】
このようにすることで、画像データｎ＋３を除いて、フラグが付されていない画像データ、すなわち、変化の少ない撮影シーンの画像データが間引かれることにより、特徴のない画像を表示する無駄な時間を省略して、画像の再生時間の短縮を図ることができる。
【００５２】
なお、本実施形態に係るカメラ１は、以下のように変形することができる。
例えば、本実施形態においては、画像比較部１９が、画像処理部１７により画像処理された現画像データと記憶部２１に記憶されている直前画像データとを比較することとしたが、これに代えて、図９に示すように、画像比較部１１９が、記憶部２１において記憶されている連続して撮影された２枚の画像データを比較することとしてもよい。
【００５３】
具体的には、画像処理部１１７は、撮像素子１５から入力された画像データに対して画像処理を行った後、記憶部２１に出力して記憶させることとし、画像比較部１１９は、記憶部２１に記憶されている連続して撮影された２枚の画像データを読み出して差分を検出し、比較した画像データを画像処理部１１７にフラグ添付指示の通知とともにあるいは通知をせずに出力して、画像処理部１１７から記憶部２１に返却することとしてもよい。
【００５４】
この場合、２枚の画像データの差分が閾値を超える場合には、時間的に後ろ側の画像データを特定できるように画像データにフラグを添付する指示と不一致率とを画像処理部１１７に通知することとすればよい。例えば、時間的に後ろ側の画像データに直接フラグを付けることとしてもよいし、時間的に前側の画像データにフラグを付けることにより、時間的に後側の画像データを特定することができるようにしてもよい。このようにすることで、連写撮影中に画像比較部１１９が画像データを比較する必要がなく、連写撮影時の処理速度を短縮することができる。
【００５５】
なお、本実施形態においては、連写撮影枚数と再生時間に対応する表示フレーム枚数とを具体的に例示して説明したが、撮影枚数および再生時間はユーザが任意に設定することができこれに限定されるものではない。
また、本実施形態においては、現画像データと直前画像データとの比較を例示して説明したが、これに代えて、それぞれ取得された画像データを一覧表示するために作成される縮小された画像であるサムネイル画像同士を比較することにより行うこととしてもよい。
【００５６】
また、本実施形態においては、差分が閾値を超えた画像データに対してのみ不一致率を通知することとしたが、これに代えて、差分が閾値を超えない画像データも含めてすべての画像データに対して不一致率を通知することとしてもよい。このようにすることで、端数となる表示フレームが存在する場合に、差分が閾値を超えない画像データの中から不一致率の高い画像データを選択して表示フレームに割り当てることができる。
以上、本発明の一実施形態について図面を参照して詳述してきたが、具体的な構成はこの実施形態に限られるものではなく、本発明の要旨を逸脱しない範囲の設計変更等も含まれる。
【図面の簡単な説明】
【００５７】
【図１】本発明の一実施形態に係るカメラを前面から見た概略構成図である。
【図２】図１のカメラを背面から見た概略構成図である。
【図３】図１のカメラを上方から見た概略構成図である。
【図４】図１のカメラ本体の概略構成を示すブロック図である。
【図５】図１のカメラの連写撮影時の動作を示すフローチャート図である。
【図６】図１のカメラの画像データの再生および選択時の動作を示すフローチャート図である。
【図７】図７（ａ）は図１のカメラにより撮影された画像データを示し、図７（ｂ）は再生順番テーブルに割り当てる画像データを示した図である。
【図８】図７（ａ）は図１のカメラにより撮影された別の画像データを示し、図７（ｂ）は再生順番テーブルに割り当てる別の画像データを示した図である。
【図９】本発明の一実施形態の変形例に係るカメラ本体の概略構成を示すブロック図である。
【符号の説明】
【００５８】
１  カメラ
３  操作部
９  表示部
２１  記憶部
１７  画像処理部
１９  画像比較部
２３  再生部（制御部）
【図１】
2009081650.tif 000003
【図２】
2009081650.tif 000004
【図３】
2009081650.tif 000005
【図４】
2009081650.tif 000006
【図５】
2009081650.tif 000007
【図６】
2009081650.tif 000008
【図７】
2009081650.tif 000009
【図８】
2009081650.tif 000010
【図９】
2009081650.tif 000011